(57)【要約】【課題】  無線通信装置間で同期が取られていない状態で、間欠受信する場合において、間欠受信のオフ時間による通信の頭切れが少なく、かつ低消費電流化を十分に図る。【解決手段】  受信電界強度信号回路１５を含む受信回路ブロック２０と、ノイズレベル判定回路１２を含む復調回路ブロック２１と、識別信号処理回路１３および識別信号判定回路１４からなる識別信号判定回路ブロック２２と、音声回路ブロック２３と、送信回路１８と、間欠時間制御回路１６と、タイマ回路１７と、電源制御回路１０とを備える。そして、電源制御回路１０が受信状態に応じて、受信回路ブロック２０、復調回路ブロック２１および識別信号判定回路ブロック２２のうち必要な回路にのみ順に電源を供給する。また、間欠時間制御回路１６により、通信の頻度に応じてタイマ回路１７で設定される通信のオフ時間を可変する。【選択図】        図１
2005184606.tif 000002
【特許請求の範囲】
【請求項１】
アンテナから受信した信号を入力して中間周波信号を出力するとともに受信する電波の強度を示す受信電界強度信号を出力する受信回路ブロックと、
前記受信回路ブロックから出力される中間周波信号を復調してベースバンド信号を出力するとともに、前記ベースバンド信号中のノイズレベルに相当する雑音検出信号が閾値より大きいか小さいかを示すノイズレベル判定信号を出力する復調回路ブロックと、
前記ベースバンド信号中に含まれる識別信号を基に所望の相手局の信号かどうかを示す識別信号判定信号を出力する識別信号判定回路ブロックと、
間欠受信のオフ時間を計数するタイマ回路と、
前記タイマ回路の出力信号、前記受信電界強度信号、前記ノイズレベル判定信号および前記識別信号判定信号の状態に応じて、前記受信回路ブロック、前記復調回路ブロックおよび前記識別信号判定回路ブロックへの電源供給の開始、停止を制御する電源制御回路とを備えた無線通信装置。
【請求項２】
アンテナから受信した信号を入力して中間周波信号を出力するとともに受信する電波の強度を示す受信電界強度信号を出力する受信回路ブロックと、
前記受信回路ブロックから出力される中間周波信号を復調してベースバンド信号を出力するとともに、前記ベースバンド信号中のノイズレベルに相当する雑音検出信号が閾値より大きいか小さいかを示すノイズレベル判定信号を出力する復調回路ブロックと、
間欠受信のオフ時間を計数するタイマ回路と、
前記タイマ回路の出力信号、前記受信電界強度信号および前記ノイズレベル判定信号の状態に応じて、前記受信回路ブロックおよび前記復調回路ブロックへの電源供給の開始、停止を制御する電源制御回路とを備えた無線通信装置。
【請求項３】
アンテナから受信した信号を入力して中間周波信号を出力するとともに受信する電波の強度を示す受信電界強度信号を出力する受信回路ブロックと、
前記受信回路ブロックから出力される中間周波信号を復調してベースバンド信号を出力する復調回路ブロックと、
前記ベースバンド信号中に含まれる識別信号を基に所望の相手局の信号かどうかを示す識別信号判定信号を出力する識別信号判定回路ブロックと、
間欠受信のオフ時間を計数するタイマ回路と、
前記タイマ回路の出力信号、前記受信電界強度信号および前記識別信号判定信号の状態に応じて、前記受信回路ブロックおよび前記識別信号判定回路ブロックへの電源供給の開始、停止を制御する電源制御回路とを備えた無線通信装置。
【請求項４】
前記電源制御回路は、前記受信電界強度信号が所定の閾値より小さいときに前記受信回路ブロックの電源供給を停止し、前記雑音検出信号が所定の閾値より大きいときの前記ノイズレベル判定信号に応答して前記復調回路ブロックへの電源供給を停止し、前記識別信号が所望の相手局を示していないときの前記識別信号判定信号に応答して前記識別信号判定回路ブロックへの電源供給を停止する請求項１記載の無線通信装置。
【請求項５】
前記電源制御回路は、前記受信電界強度信号が所定の閾値より小さいときに前記受信回路ブロックの電源供給を停止し、前記雑音検出信号が所定の閾値より大きいときの前記ノイズレベル判定信号に応答して前記復調回路ブロックへの電源供給を停止する請求項２記載の無線通信装置。
【請求項６】
前記電源制御回路は、前記受信電界強度信号が所定の閾値より小さいときに前記受信回路ブロックの電源供給を停止し、前記識別信号が所望の相手局を示していないときの前記識別信号判定信号に応答して前記識別信号判定回路ブロックへの電源供給を停止する請求項３記載の無線通信装置。
【請求項７】
前記ベースバンド信号を可聴出力に変換する音声回路ブロックさらに備え、前記電源制御回路は、前記受信電界強度信号が所定の閾値より大きいときに前記復調回路ブロックへの電源供給を開始し、前記雑音検出信号が所定の閾値より小さいときの前記ノイズレベル判定信号に応答して前記識別信号判定回路ブロックへの電源供給を開始し、前記識別信号が所望の相手局を示しているときの前記識別信号判定信号に応答して前記音声回路ブロックへの電源供給を開始する請求項１記載の無線通信装置。
【請求項８】
前記ベースバンド信号を可聴出力に変換する音声回路ブロックさらに備え、前記電源制御回路は、前記受信電界強度信号が所定の閾値より大きいときに前記復調回路ブロックへの電源供給を開始し、前記雑音検出信号が所定の閾値より小さいときの前記ノイズレベル判定信号に応答して前記音声回路ブロックへの電源供給を開始する請求項２記載の無線通信装置。
【請求項９】
前記ベースバンド信号を可聴出力に変換する音声回路ブロックさらに備え、前記電源制御回路は、前記受信電界強度信号が所定の閾値より大きいときに前記識別信号判定回路ブロックへの電源供給を開始し、前記識別信号が所望の相手局を示しているときの前記識別信号判定信号に応答して前記音声回路ブロックへの電源供給を開始する請求項３記載の無線通信装置。
【請求項１０】
間欠受信のオフ時間を制御する間欠時間制御回路をさらに備え、前記電源制御回路による前記受信回路ブロック、前記復調回路ブロックおよび前記識別信号判定回路ブロックのいずれかの電源供給の停止による受信中止に応答して、前記間欠時間制御回路は、前記間欠受信のオフ時間を一定時間だけ延ばし、受信終了に応答して前記間欠受信のオフ時間を最小値にもどすように前記タイマ回路のタイマ設定時間を制御する請求項１記載の無線通信装置。
【請求項１１】
間欠受信のオフ時間を制御する間欠時間制御回路をさらに備え、前記電源制御回路による前記受信回路ブロックおよび前記復調回路ブロックのいずれかの電源供給の停止による受信中止に応答して、前記間欠時間制御回路は、前記間欠受信のオフ時間を一定時間だけ延ばし、受信終了に応答して前記間欠受信のオフ時間を最小値にもどすように前記タイマ回路のタイマ設定時間を制御する請求項２記載の無線通信装置。
【請求項１２】
間欠受信のオフ時間を制御する間欠時間制御回路をさらに備え、前記電源制御回路による前記受信回路ブロックおよび前記識別信号判定回路ブロックのいずれかの電源供給の停止による受信中止に応答して、前記間欠時間制御回路は、前記間欠受信のオフ時間を一定時間だけ延ばし、受信終了に応答して前記間欠受信のオフ時間を最小値にもどすように前記タイマ回路のタイマ設定時間を制御する請求項３記載の無線通信装置。
【請求項１３】
送信起動信号により送信信号を発生し、前記アンテナを通して送信する送信回路と、前記アンテナを前記受信回路ブロックと前記送信回路とに選択的に接続することにより送信と受信を切り替えるアンテナスイッチとをさらに備えた請求項１，２または３記載の無線通信装置。
【請求項１４】
受信回路ブロック、復調回路ブロックおよび識別信号判定回路ブロックを有し間欠受信を行う無線通信装置への電源供給を制御する間欠受信制御方法であって、
受信する電波の強度を示す受信電界強度信号と、復調される復調信号中のノイズレベルを示す雑音検出信号と、前記復調信号に含まれる識別信号とを基に、前記受信電界強度信号が所定の閾値より小さいかどうかを判定し、前記受信電界強度信号が所定の閾値より小さいときに前記受信回路ブロックへの電源供給を停止し、つぎに前記雑音検出信号が所定の閾値より大きいかどうかを判定し、前記雑音検出信号が所定の閾値より大きいときに前記復調回路ブロックへの電源供給を停止し、つぎに前記識別信号が所望の相手局を示しているかどうかを判定し、前記識別信号が所望の相手局を示していないときに前記識別信号判定回路ブロックへの電源供給を停止する間欠受信制御方法。
【請求項１５】
前記雑音検出信号が所定の閾値より大きいときに前記受信回路ブロックへの電源供給を停止し、前記識別信号が所望の相手局を示していないときに前記受信回路ブロックへの電源供給を停止するとともに、前記復調回路ブロックへの電源供給を停止する請求項１４記載の間欠受信制御方法。
【請求項１６】
受信回路ブロックおよび復調回路ブロックを有し間欠受信を行う無線通信装置への電源供給を制御する間欠受信制御方法であって、
受信する電波の強度を示す受信電界強度信号と、復調される復調信号中のノイズレベルを示す雑音検出信号とを基に、前記受信電界強度信号が所定の閾値より小さいかどうかを判定し、前記受信電界強度信号が所定の閾値より小さいときに前記受信回路ブロックへの電源供給を停止し、つぎに前記雑音検出信号が所定の閾値より大きいかどうかを判定し、前記雑音検出信号が所定の閾値より大きいときに前記復調回路ブロックへの電源供給を停止する間欠受信制御方法。
【請求項１７】
前記雑音検出信号が所定の閾値より大きいときに前記受信回路ブロックへの電源供給を停止する請求項１６記載の間欠受信制御方法。
【請求項１８】
受信回路ブロック、復調回路ブロックおよび識別信号判定回路ブロックを有し間欠受信を行う無線通信装置への電源供給を制御する間欠受信制御方法であって、
受信する電波の強度を示す受信電界強度信号と、前記復調信号に含まれる識別信号とを基に、前記受信電界強度信号が所定の閾値より小さいかどうかを判定し、前記受信電界強度信号が所定の閾値より小さいときに前記受信回路ブロックへの電源供給を停止し、つぎに前記識別信号が所望の相手局を示しているかどうかを判定し、前記識別信号が所望の相手局を示していないときに前記識別信号判定回路ブロックへの電源供給を停止する間欠受信制御方法。
【請求項１９】
前記識別信号が所望の相手局を示していないときに前記受信回路ブロックへの電源供給を停止するとともに、前記復調回路ブロックへの電源供給を停止する請求項１８記載の間欠受信制御方法。
【請求項２０】
受信回路ブロック、復調回路ブロック、識別信号判定回路ブロックおよび音声回路ブロックを有し間欠受信を行う無線通信装置への電源供給を制御する間欠受信制御方法であって、
受信する電波の強度を示す受信電界強度信号と、復調される復調信号中のノイズレベルを示す雑音検出信号と、前記復調信号に含まれる識別信号とを基に、前記受信電界強度信号が所定の閾値より大きいかどうかを判定し、前記受信電界強度信号が所定の閾値より大きいときに前記復調回路ブロックへの電源供給を開始し、つぎに前記雑音検出信号が所定の閾値より小さいかどうかを判定し、前記雑音検出信号が所定の閾値より小さいときに前記識別信号判定回路ブロックへの電源供給を開始し、つぎに前記識別信号が所望の相手局を示しているかどうかを判定し、前記識別信号が所望の相手局を示しているときに前記音声回路ブロックへの電源供給を開始する間欠受信制御方法。
【請求項２１】
受信回路ブロック、復調回路ブロックおよび音声回路ブロックを有し間欠受信を行う無線通信装置への電源供給を制御する間欠受信制御方法であって、
受信する電波の強度を示す受信電界強度信号と、復調される復調信号中のノイズレベルを示す雑音検出信号とを基に、前記受信電界強度信号が所定の閾値より大きいかどうかを判定し、前記受信電界強度信号が所定の閾値より大きいときに前記復調回路ブロックへの電源供給を開始し、つぎに前記雑音検出信号が所定の閾値より小さいかどうかを判定し、前記雑音検出信号が所定の閾値より小さいときに前記音声回路ブロックへの電源供給を開始する間欠受信制御方法。
【請求項２２】
受信回路ブロック、復調回路ブロック、識別信号判定回路ブロックおよび音声回路ブロックを有し間欠受信を行う無線通信装置への電源供給を制御する間欠受信制御方法であって、
受信する電波の強度を示す受信電界強度信号と、前記復調信号に含まれる識別信号とを基に、前記受信電界強度信号が所定の閾値より大きいかどうかを判定し、前記受信電界強度信号が所定の閾値より大きいときに前記識別信号判定回路ブロックへの電源供給を開始し、つぎに前記識別信号が所望の相手局を示しているかどうかを判定し、前記識別信号が所望の相手局を示しているときに前記音声回路ブロックへの電源供給を開始する間欠受信制御方法。
【請求項２３】
前記受信回路ブロックは周期的に電源供給が開始される請求項２０、２１または２２記載の間欠受信制御方法。
【請求項２４】
受信信号が所定時間以上受信されないときに、間欠受信のオフ時間を長く設定し、受信が終了または送信が終了してから所定時間の間は間欠受信のオフ時間を短く設定する間欠受信制御方法。
【請求項２５】
受信または送信が終了してから時間の経過とともに段階的に間欠受信のオフ時間を長く可変する間欠受信制御方法。
【請求項２６】
請求項１〜１３のいずれかに記載の無線通信装置を半導体基板上に集積した無線通信用半導体集積回路装置。
【請求項２７】
請求項１〜１３のいずれかに記載の無線通信装置を回路基板上に実装した無線通信用モジュール。
【請求項２８】
請求項１〜１３のいずれかに記載の無線通信装置を用いた無線通信システム。
【発明の詳細な説明】
【技術分野】
【０００１】
本発明は、周波数変調方式（ＦＳＫ方式）を用いた無線通信装置の中で、特に回路の電源制御状態を受信状態に応じて変えることのできる、間欠受信方式を採用した無線通信装置に関するものである。
【背景技術】
【０００２】
従来の無線受信装置は、制御局からの信号に基づいて受信時の電源制御をしていた（例えば、特許文献１参照）。
【０００３】
図８に従来の周波数変調を用いた無線受信機の構成を示す。図８において、符号１０１は高周波増幅器を示し、符号１０２Ｉ，１０２Ｑはそれぞれミキサ回路を示し、符号１０３Ｉ，１０３Ｑはそれぞれ低域通過フィルタを示し、符号１０４Ｉ，１０４Ｑはそれぞれリミッタ回路を示し、符号１０５は復調回路を示し、符号１０６は低域通過フィルタを示し、符号１０７はコンパレータ回路（ＣＭＰ）を示し、符号１０８は９０度移相器（Ｐ．Ｓ）を示し、符号１０９はＰＬＬ局部発振回路を示し、符号１１０は周波数検出回路を示し、符号１１１は電圧制御発振回路（ＶＣＯ）を示し、符号１１２はループフィルタを示し、符号１１３は制御回路を示し、符号１１４は同期回路を示し、符号１１５は間欠動作回路を示している。
【０００４】
以上のような構成の無線受信機について、以下その動作を説明する。２値デジタル信号で周波数変調された受信波は、高周波増幅器１０１で増幅され、２分岐されてそれぞれミキサ回路１０２Ｉ，１０２Ｑに入力される。また、局部発振周波数は電圧制御発振回路１１１より９０度移相器１０８に入力される。９０度移相器１０８は、入力信号を＋４５度だけ位相を回した信号をミキサ回路１０２Ｉに入力し、入力信号を−４５度回した信号をミキサ回路１０２Ｑに入力する。
【０００５】
このような回路構成をとることにより、９０度位相のずれた信号がミキサ回路１０２Ｉ，１０２Ｑによりベースバンド信号へ周波数変換され、出力される。ここで、受信周波数と局部発振周波数とは一致しているので、ベースバンド信号はビート周波数となる。低域通過フィルタ１０３Ｉ，１０３Ｑは、ミキサ回路１０２Ｉ，１０２Ｑの出力信号からベースバンド信号のみを取り出すとともに、雑音の帯域制限を行うものである。
【０００６】
２つのベースバンド信号は、各々リミッタ回路１０４Ｉ，１０４Ｑに入力されることにより２値化された信号Ｉ，Ｑが得られる。この信号波形は、図９に示すようになる。ここでデータは変調信号を示すものとする。信号Ｉ，Ｑを復調回路１０５に入力することにより周波数検波が行われる。
【０００７】
復調回路１０５は、図１０に示すように、Ｄフリップフロップ１０５ａで構成される。Ｄフリップフロップ１０５ａにクロック入力Ｃとして信号Ｉを入力し、データ入力Ｄとして信号Ｑを入力すると、クロック入力Ｃの立ち上がりでデータをカウントする場合、Ｄフリップフロップ１０５ａの出力Ｌは図９のようになり、信号Ｉ，Ｑの位相が９０度変化することにより、出力Ｌも同様に変化してデータが復調される。
【０００８】
このようにして復調された復調信号は、雑音を取り除くための低域通過フィルタ１０６を通りコンパレータ回路１０７により２値化され、２値デジタル信号として出力される。
【０００９】
２値デジタル信号は、ビット同期、フレーム同期が同期回路１１４においてとられる。同期回路１１４より出力される同期信号により受信機全体の間欠動作を行う間欠動作信号ＢＳを制御回路１１３に出力する。制御回路１１３は受信機の同期状態に応じ受信機（高周波部）及びＰＬＬ局部発振回路１０９、電圧制御発振回路１１１の動作を制御し、間欠動作の消費電流を同期ずれなく低減できる。
【特許文献１】特開平６−０８５８５６号公報
【発明の開示】
【発明が解決しようとする課題】
【００１０】
上記従来の無線受信機における低消費電流化技術では、基地局などを有し、通信を行う基地局と受信機との間で時間的な同期がとられているため、予め決められた時間だけ受信すればよかった。
【００１１】
しかし、お互いに時間的な同期がとられていない無線通信装置間の通信の場合は、お互いにいつ通信が開始するかわからない。そのため、間欠受信を行おうとする場合、間欠受信動作のオフ時間による通信の頭切れなどを少なくしようとすると、オフ時間を長くとることはできなかった。ところが、低消費電流化を図るためには、間欠受信におけるオフ時間を長くする必要がある。
【００１２】
以上説明したように、無線通信装置の間欠受信動作時の通信の頭切れによる使用感を損なわないように、適当な時間を区切って定期的に間欠受信を行う必要があり、更なる低消費電流化が図れなかった。
【００１３】
本発明は従来の課題を解決するものであり、通信の頭切れを少なくし、かつ低消費電流化できる無線通信装置を提供することを目的とする。
【課題を解決するための手段】
【００１４】
そのために、本発明では、受信に係る複数の回路ブロックの電源を同時に立ち上げるのではなく、間欠受信の受信判定に必要な最小限の回路ブロックの電源のみを立ち上げ、回路ブロックの安定化の間も余分な電流を消費しないようにし、また間欠受信におけるオフ時間を、通信状態に応じて可変できるようにしたことを特徴とする。
【００１５】
この目的を達成するために、本発明の無線通信装置では、相手局からの電波を受信するアンテナと、受信した信号を増幅し周波数変換する受信回路ブロックと、周波数変換された信号を音声信号に復調する復調回路ブロックと、復調した音声信号に含まれる識別信号を識別判定する識別信号判定回路ブロックと、復調した音声信号を増幅しスピーカを鳴音させる音声回路ブロックと、音声信号と識別信号を搬送波に変調して送信する送信回路と、間欠受信を受信状態に応じて制御する間欠時間制御回路と、制御回路からの信号に応じて間欠時間を計数し電源制御回路に起動信号を与えるタイマ回路とを備え、受信状態を判定するのに必要な回路ブロックのみの電源を立ち上げて、判定した受信状態に応じて間欠受信の時間を制御するようにしている。
【００１６】
また、本構成では、無線通信装置間の時間的な同期が無く定期的な間欠受信しかできなかった周波数変調方式を用いた無線通信装置において、受信した信号を判定するのに必要な回路ブロックの電源だけを立ち上げて、受信状態に応じて順に必要な回路ブロックの電源だけを立ち上げるようにしている。
【００１７】
そのため、無駄な電流の消費を抑えることができる。
【００１８】
また、通信の頻度により間欠受信の時間を可変する制御方式を備えているので、通信の頻度が高いときには、間欠受信のオフ時間を短くすることにより、間欠受信のオフ時間による通信の頭切れを少なくし、通信の頻度が少ないときには、間欠受信のオフ時間を長くとることにより消費電流を削減できる。
【００１９】
以下、より詳しく説明する。第１の発明の無線通信装置は、アンテナから受信した信号を入力して中間周波信号を出力するとともに受信する電波の強度を示す受信電界強度信号を出力する受信回路ブロックと、受信回路ブロックから出力される中間周波信号を復調してベースバンド信号を出力するとともに、ベースバンド信号中のノイズレベルに相当する雑音検出信号が閾値より大きいか小さいかを示すノイズレベル判定信号を出力する復調回路ブロックと、ベースバンド信号中に含まれる識別信号を基に所望の相手局の信号かどうかを示す識別信号判定信号を出力する識別信号判定回路ブロックと、間欠受信のオフ時間を計数するタイマ回路と、タイマ回路の出力信号、受信電界強度信号、ノイズレベル判定信号および識別信号判定信号の状態に応じて、受信回路ブロック、復調回路ブロックおよび識別信号判定回路ブロックへの電源供給の開始、停止を制御する電源制御回路とを備えている。
【００２０】
この構成によれば、受信電界強度信号、ノイズレベル判定信号および識別信号判定信号の状態に応じて、受信回路ブロック、復調回路ブロックおよび識別信号判定回路ブロックへの電源供給の開始、停止を制御するので、無駄な電流の消費を抑えることができ、消費電流を削減できる。
【００２１】
上記第１の発明の無線通信装置においては、電源制御回路は、受信電界強度信号が所定の閾値より小さいときに受信回路ブロックの電源供給を停止し、雑音検出信号が所定の閾値より大きいときのノイズレベル判定信号に応答して復調回路ブロックへの電源供給を停止し、識別信号が所望の相手局を示していないときの識別信号判定信号に応答して識別信号判定回路ブロックへの電源供給を停止することが好ましい。
【００２２】
上記第１の発明の無線通信装置においては、ベースバンド信号を可聴出力に変換する音声回路ブロックさらに備え、電源制御回路は、受信電界強度信号が所定の閾値より大きいときに復調回路ブロックへの電源供給を開始し、雑音検出信号が所定の閾値より小さいときのノイズレベル判定信号に応答して識別信号判定回路ブロックへの電源供給を開始し、識別信号が所望の相手局を示しているときの識別信号判定信号に応答して音声回路ブロックへの電源供給を開始することが好ましい。
【００２３】
上記第１の発明の無線通信装置においては、間欠受信のオフ時間を制御する間欠時間制御回路をさらに備え、電源制御回路による受信回路ブロック、復調回路ブロックおよび識別信号判定回路ブロックのいずれかの電源供給の停止による受信中止に応答して、間欠時間制御回路は、間欠受信のオフ時間を一定時間だけ延ばし、受信終了に応答して間欠受信のオフ時間を最小値にもどすようにタイマ回路のタイマ設定時間を制御することが好ましい。
【００２４】
この構成によれば、通信の頻度により間欠受信の時間を可変するので、通信の頻度が高いときには、間欠受信のオフ時間を短くすることにより間欠受信のオフ時間による通信の頭切れを少なくすることができ、また、通信の頻度が低いときには、間欠受信のオフ時間を長くとることにより消費電流を削減できる。
【００２５】
第２の発明の無線通信装置は、アンテナから受信した信号を入力して中間周波信号を出力するとともに受信する電波の強度を示す受信電界強度信号を出力する受信回路ブロックと、受信回路ブロックから出力される中間周波信号を復調してベースバンド信号を出力するとともに、ベースバンド信号中のノイズレベルに相当する雑音検出信号が閾値より大きいか小さいかを示すノイズレベル判定信号を出力する復調回路ブロックと、間欠受信のオフ時間を計数するタイマ回路と、タイマ回路の出力信号、受信電界強度信号およびノイズレベル判定信号の状態に応じて、受信回路ブロックおよび復調回路ブロックへの電源供給の開始、停止を制御する電源制御回路とを備えている。
【００２６】
この構成によれば、受信電界強度信号およびノイズレベル判定信号の状態に応じて、受信回路ブロックおよび復調回路ブロックへの電源供給の開始、停止を制御するので、不特定多数の通信相手と通話を行うなど識別信号が使用できない場合でも、無駄な電流の消費を抑えることができ、消費電流を削減できる。
【００２７】
上記第２の発明の無線通信装置においては、電源制御回路は、受信電界強度信号が所定の閾値より小さいときに受信回路ブロックの電源供給を停止し、雑音検出信号が所定の閾値より大きいときのノイズレベル判定信号に応答して復調回路ブロックへの電源供給を停止することが好ましい。
【００２８】
上記第２の発明の無線通信装置においては、ベースバンド信号を可聴出力に変換する音声回路ブロックさらに備え、電源制御回路は、受信電界強度信号が所定の閾値より大きいときに復調回路ブロックへの電源供給を開始し、雑音検出信号が所定の閾値より小さいときのノイズレベル判定信号に応答して音声回路ブロックへの電源供給を開始することが好ましい。
【００２９】
上記第２の発明の無線通信装置においては、間欠受信のオフ時間を制御する間欠時間制御回路をさらに備え、電源制御回路による受信回路ブロックおよび復調回路ブロックのいずれかの電源供給の停止による受信中止に応答して、間欠時間制御回路は、間欠受信のオフ時間を一定時間だけ延ばし、受信終了に応答して間欠受信のオフ時間を最小値にもどすようにタイマ回路のタイマ設定時間を制御することが好ましい。
【００３０】
この構成によれば、通信の頻度により間欠受信の時間を可変するので、通信の頻度が高いときには、間欠受信のオフ時間を短くすることにより間欠受信のオフ時間による通信の頭切れを少なくすることができ、また、通信の頻度が低いときには、間欠受信のオフ時間を長くとることにより消費電流を削減できる。
【００３１】
第３の発明の無線通信装置は、アンテナから受信した信号を入力して中間周波信号を出力するとともに受信する電波の強度を示す受信電界強度信号を出力する受信回路ブロックと、受信回路ブロックから出力される中間周波信号を復調してベースバンド信号を出力する復調回路ブロックと、ベースバンド信号中に含まれる識別信号を基に所望の相手局の信号かどうかを示す識別信号判定信号を出力する識別信号判定回路ブロックと、間欠受信のオフ時間を計数するタイマ回路と、タイマ回路の出力信号、受信電界強度信号および識別信号判定信号の状態に応じて、受信回路ブロックおよび識別信号判定回路ブロックへの電源供給の開始、停止を制御する電源制御回路とを備えている。
【００３２】
この構成によれば、受信電界強度信号および識別信号判定信号の状態に応じて、受信回路ブロックおよび識別信号判定回路ブロックへの電源供給の開始、停止を制御するので、無駄な電流の消費を抑えることができ、消費電流を削減できる。また、雑音判定手順を行わないことにより、時間の短縮が行え、待機時の不要な電流をさらに削減できるとともに、間欠受信時のオフ時間による通信の頭切れを少なくすることができる。
【００３３】
上記第３の発明の無線通信装置においては、ベースバンド信号を可聴出力に変換する音声回路ブロックさらに備え、電源制御回路は、受信電界強度信号が所定の閾値より小さいときに受信回路ブロックの電源供給を停止し、識別信号が所望の相手局を示していないときの識別信号判定信号に応答して識別信号判定回路ブロックへの電源供給を停止することが好ましい。
【００３４】
上記第３の発明の無線通信装置においては、電源制御回路は、受信電界強度信号が所定の閾値より大きいときに識別信号判定回路ブロックへの電源供給を開始し、識別信号が所望の相手局を示しているときの識別信号判定信号に応答して音声回路ブロックへの電源供給を開始することが好ましい。
【００３５】
上記第３の発明の無線通信装置においては、間欠受信のオフ時間を制御する間欠時間制御回路をさらに備え、電源制御回路による受信回路ブロックおよび識別信号判定回路ブロックのいずれかの電源供給の停止による受信中止に応答して、間欠時間制御回路は、間欠受信のオフ時間を一定時間だけ延ばし、受信終了に応答して間欠受信のオフ時間を最小値にもどすようにタイマ回路のタイマ設定時間を制御することが好ましい。
【００３６】
この構成によれば、通信の頻度により間欠受信の時間を可変するので、通信の頻度が高いときには、間欠受信のオフ時間を短くすることにより間欠受信のオフ時間による通信の頭切れを少なくすることができ、また、通信の頻度が低いときには、間欠受信のオフ時間を長くとることにより消費電流を削減できる。
【００３７】
上記第１，第２，および第３の発明の無線通信装置においては、送信起動信号により送信信号を発生し、アンテナを通して送信する送信回路と、アンテナを受信回路ブロックと送信回路とに選択的に接続することにより送信と受信を切り替えるアンテナスイッチとをさらに備えることが好ましい。
【００３８】
第４の発明の間欠受信制御方法は、受信回路ブロック、復調回路ブロックおよび識別信号判定回路ブロックを有し間欠受信を行う無線通信装置への電源供給を制御する方法であり、受信する電波の強度を示す受信電界強度信号と、復調される復調信号中のノイズレベルを示す雑音検出信号と、復調信号に含まれる識別信号とを基に、受信電界強度信号が所定の閾値より小さいかどうかを判定し、受信電界強度信号が所定の閾値より小さいときに受信回路ブロックへの電源供給を停止し、つぎに雑音検出信号が所定の閾値より大きいかどうかを判定し、雑音検出信号が所定の閾値より大きいときに復調回路ブロックへの電源供給を停止し、つぎに識別信号が所望の相手局を示しているかどうかを判定し、識別信号が所望の相手局を示していないときに識別信号判定回路ブロックへの電源供給を停止する。
【００３９】
この構成によれば、受信電界強度信号、雑音検出信号および識別信号の状態に応じて、受信回路ブロック、復調回路ブロックおよび識別信号判定回路ブロックへの電源供給の停止を制御するので、無駄な電流の消費を抑えることができ、消費電流を削減できる。
【００４０】
上記第４の発明の間欠受信制御方法においては、雑音検出信号が所定の閾値より大きいときに受信回路ブロックへの電源供給を停止し、識別信号が所望の相手局を示していないときに受信回路ブロックへの電源供給を停止するとともに、復調回路ブロックへの電源供給を停止することが好ましい。
【００４１】
この構成によれば、消費電流をさらに削減できる。
【００４２】
第５の発明の間欠受信制御方法は、受信回路ブロックおよび復調回路ブロックを有し間欠受信を行う無線通信装置への電源供給を制御する方法であり、受信する電波の強度を示す受信電界強度信号と、復調される復調信号中のノイズレベルを示す雑音検出信号とを基に、受信電界強度信号が所定の閾値より小さいかどうかを判定し、受信電界強度信号が所定の閾値より小さいときに受信回路ブロックへの電源供給を停止し、つぎに雑音検出信号が所定の閾値より大きいかどうかを判定し、雑音検出信号が所定の閾値より大きいときに復調回路ブロックへの電源供給を停止する。
【００４３】
この構成によれば、受信電界強度信号および雑音検出信号の状態に応じて、受信回路ブロックおよび復調回路ブロックへの電源供給の停止を制御するので、不特定多数の通信相手と通話を行うなど識別信号が使用できない場合でも、無駄な電流の消費を抑えることができ、消費電流を削減できる。
【００４４】
上記第５の発明の間欠受信制御方法においては、雑音検出信号が所定の閾値より大きいときに受信回路ブロックへの電源供給を停止することが好ましい。
【００４５】
この構成によれば、消費電流をさらに削減できる。
【００４６】
第６の発明の間欠受信制御方法は、受信回路ブロック、復調回路ブロックおよび識別信号判定回路ブロックを有し間欠受信を行う無線通信装置への電源供給を制御する方法であり、受信する電波の強度を示す受信電界強度信号と、復調信号に含まれる識別信号とを基に、受信電界強度信号が所定の閾値より小さいかどうかを判定し、受信電界強度信号が所定の閾値より小さいときに受信回路ブロックへの電源供給を停止し、つぎに識別信号が所望の相手局を示しているかどうかを判定し、識別信号が所望の相手局を示していないときに識別信号判定回路ブロックへの電源供給を停止する。
【００４７】
この構成によれば、受信電界強度信号および識別信号の状態に応じて、受信回路ブロックおよび識別信号判定回路ブロックへの電源供給の停止を制御するので、無駄な電流の消費を抑えることができ、消費電流を削減できる。また、雑音判定手順を行わないことにより、時間の短縮が行え、待機時の不要な電流をさらに削減できるとともに、間欠受信時のオフ時間による通信の頭切れを少なくすることができる。
【００４８】
上記第６の発明の間欠受信制御方法においては、識別信号が所望の相手局を示していないときに受信回路ブロックへの電源供給を停止するとともに、復調回路ブロックへの電源供給を停止することが好ましい。
【００４９】
この構成によれば、消費電流をさらに削減できる。
【００５０】
第７の発明の間欠受信制御方法は、受信回路ブロック、復調回路ブロック、識別信号判定回路ブロックおよび音声回路ブロックを有し間欠受信を行う無線通信装置への電源供給を制御する方法であり、受信する電波の強度を示す受信電界強度信号と、復調される復調信号中のノイズレベルを示す雑音検出信号と、復調信号に含まれる識別信号とを基に、受信電界強度信号が所定の閾値より大きいかどうかを判定し、受信電界強度信号が所定の閾値より大きいときに復調回路ブロックへの電源供給を開始し、つぎに雑音検出信号が所定の閾値より小さいかどうかを判定し、雑音検出信号が所定の閾値より小さいときに識別信号判定回路ブロックへの電源供給を開始し、つぎに識別信号が所望の相手局を示しているかどうかを判定し、識別信号が所望の相手局を示しているときに音声回路ブロックへの電源供給を開始する。
【００５１】
この構成によれば、受信電界強度信号、雑音検出信号および識別信号の状態に応じて、復調回路ブロック、識別信号判定回路ブロックおよび音声回路ブロックへの電源供給の開始を制御するので、無駄な電流の消費を抑えることができ、消費電流を削減できる。
【００５２】
第８の発明の間欠受信制御方法は、受信回路ブロック、復調回路ブロックおよび音声回路ブロックを有し間欠受信を行う無線通信装置への電源供給を制御する方法であり、受信する電波の強度を示す受信電界強度信号と、復調される復調信号中のノイズレベルを示す雑音検出信号とを基に、受信電界強度信号が所定の閾値より大きいかどうかを判定し、受信電界強度信号が所定の閾値より大きいときに復調回路ブロックへの電源供給を開始し、つぎに雑音検出信号が所定の閾値より小さいかどうかを判定し、雑音検出信号が所定の閾値より小さいときに音声回路ブロックへの電源供給を開始する。
【００５３】
この構成によれば、受信電界強度信号および雑音検出信号の状態に応じて、復調回路ブロックおよび音声回路ブロックへの電源供給の開始を制御するので、不特定多数の通信相手と通話を行うなど識別信号が使用できない場合でも、無駄な電流の消費を抑えることができ、消費電流を削減できる。
【００５４】
第９の発明の間欠受信制御方法は、受信回路ブロック、復調回路ブロック、識別信号判定回路ブロックおよび音声回路ブロックを有し間欠受信を行う無線通信装置への電源供給を制御する方法であり、受信する電波の強度を示す受信電界強度信号と、復調信号に含まれる識別信号とを基に、受信電界強度信号が所定の閾値より大きいかどうかを判定し、受信電界強度信号が所定の閾値より大きいときに識別信号判定回路ブロックへの電源供給を開始し、つぎに識別信号が所望の相手局を示しているかどうかを判定し、識別信号が所望の相手局を示しているときに音声回路ブロックへの電源供給を開始する。
【００５５】
この構成によれば、受信電界強度信号および識別信号の状態に応じて、識別信号判定回路ブロックおよび音声回路ブロックへの電源供給の開始を制御するので、無駄な電流の消費を抑えることができ、消費電流を削減できる。また、雑音判定手順を行わないことにより、時間の短縮が行え、待機時の不要な電流をさらに削減できるとともに、間欠受信時のオフ時間による通信の頭切れを少なくすることができる。
【００５６】
第７、第８および第９の発明の間欠受信制御方法においては、受信回路ブロックは周期的に電源供給が開始されることが好ましい。
【００５７】
第１０の発明の間欠受信制御方法は、受信信号が所定時間以上受信されないときに、間欠受信のオフ時間を長く設定し、受信が終了または送信が終了してから所定時間の間は間欠受信のオフ時間を短く設定する。この第１０の発明は、第４〜９の発明と組み合わせることでさらに有効なものとなる。
【００５８】
この構成によれば、通信の頻度により間欠受信の時間を可変するので、通信の頻度が高いときには、間欠受信のオフ時間を短くすることにより間欠受信のオフ時間による通信の頭切れを少なくすることができ、また、通信の頻度が低いときには、間欠受信のオフ時間を長くとることにより消費電流を削減できる。
【００５９】
第１１の発明の間欠受信制御方法は、受信または送信が終了してから時間の経過とともに段階的に間欠受信のオフ時間を長く可変する。この第１０の発明は、第４〜９の発明と組み合わせることでさらに有効なものとなる。
【００６０】
この構成によれば、通信の頻度により間欠受信の時間を可変するので、通信の頻度が高いときには、間欠受信のオフ時間を短くすることにより間欠受信のオフ時間による通信の頭切れを少なくすることができ、また、通信の頻度が低いときには、間欠受信のオフ時間を長くとることにより消費電流を削減できる。
【００６１】
第１２の発明の無線通信用半導体集積回路装置は、第１、第２および第３のいずれかの発明の無線通信装置を半導体基板上に集積したものである。
【００６２】
この構成によれば、第１、第２および第３の発明のいずれかの無線通信装置と同様の効果を有する。
【００６３】
第１３の発明の無線通信用モジュールは、第１、第２および第３のいずれかの発明の無線通信装置を回路基板上に実装したものである。
【００６４】
この構成によれば、第１、第２および第３の発明のいずれかの無線通信装置と同様の効果を有する。
【００６５】
第１４の発明の無線通信システムは、第１、第２および第３の発明のいずれかの無線通信装置を用いて構成している。
【００６６】
この構成によれば、第１、第２および第３の発明のいずれかの無線通信装置と同様の効果を有する。
【発明の効果】
【００６７】
以上のように、本発明に係る無線通信装置によれば、お互いに同期する手段を持たない場合、タイマにより決められた時間に受信信号の状態を判定し無線通信装置の各回路ブロックの電源を順に制御し、必要な回路ブロックだけを動作させることにより低消費電流化できる無線通信装置を提供できる。また、本発明の間欠受信制御方法によれば、お互いに同期する手段を持たない場合、タイマにより決められた時間に受信信号の状態を判定し無線通信装置の各回路ブロックの電源を順に制御し、必要な回路ブロックだけを動作させることにより低消費電流化できる。また、本発明に係る間欠受信制御方法によれば通信の頻度により間欠受信のオフ時間を決めるタイマの時間を可変し、通信の頭切れを少なくし、低消費電流化することができる。
【発明を実施するための最良の形態】
【００６８】
以下、本発明に係る無線通信装置の実施の形態について、図面を参照して詳細に説明する。
【００６９】
（実施の形態１）
図１は本発明の実施の形態１における無線通信装置の構成を示すブロック図である。
【００７０】
この無線通信装置は、図１に示すように、アンテナＡＮＴからの受信信号を入力する受信回路ブロック２０と、復調回路ブロック２１と、識別信号判定回路ブロック２２と、音声回路ブロック２３と、送信回路１８と、間欠時間制御回路１６と、タイマ回路１７と、電源制御回路１０とを備えている。７Ｆは送信回路１８の出力側に設けられた帯域通過フィルタである。
【００７１】
受信回路ブロック２０は、高周波増幅器１と、ミキサ回路２と、増幅器３と、もう一方のミキサ回路４と、リミッタアンプ５と、受信電界強度信号回路１５と、帯域通過フィルタ７Ａ，７Ｂ，７Ｃ，７Ｄと、局部発振器２４Ａ，２４Ｂとを含む。
【００７２】
復調回路ブロック２１は、復調器６と、ノイズ検出回路１１と、ノイズレベル判定回路１２とからなる。識別信号判定回路ブロック２２は、識別信号処理回路１３と、識別信号判定回路１４とからなる。音声回路ブロック２３は、帯域通過フィルタ７Ｅと、電力増幅器８と、スピーカ９とからなる。
【００７３】
つぎに、この無線通信装置の動作を図１および図６を用いて説明する。図６は図１の無線通信装置の動作を示すタイミングチャートであり、区間４５は無信号受信区間を示し、区間４６は所望とは異なる他の通信受信区間を示し、区間４７は所望の通信受信区間を示している。また、図６には、受信回路ブロックの電源の状態（ハイレベルが給電ありで、ローレベルが給電なしを示す）と、受信電界強度信号（ハイレベルは電界強度が高いことを示し、ローレベルは電界強度が低いことを示す）と、復調回路ブロックの電源の状態（ハイレベルが給電ありを示し、ローレベルが給電なしを示す）と、ノイズレベル判定信号（ハイレベルはノイズレベルが低いことを示し、ローレベルはノイズレベルが高いことを示す）と、識別信号判定回路ブロックの電源の状態（ハイレベルが給電ありを示し、ローレベルが給電なしを示す）と、受信音声信号の状態（ハイレベルが音声出力ありを示し、ローレベルが音声出力なしを示す）とが示されている。
【００７４】
予め設定された受信する時が来る（時刻ｔ11，ｔ21，ｔ31）と、タイマ回路１７から受信回路ＯＮ信号が電源制御回路１０に入力される。その結果、電源制御回路１０は、受信回路ブロック２０に電源を供給する。タイマ回路１７のタイマ設定時間は、電源制御回路１０から出力される受信終了信号と各回路ブロックＯＦＦ信号を入力とする間欠時間制御回路１６により設定される。受信終了信号は、間欠受信が終了すると電源制御回路１０から出力される。また、各回路ブロックＯＦＦ信号は、電源制御回路１０が受信回路ブロック２０、復調回路ブロック２１、および識別信号判定回路ブロック２２の電源をオフにしたときに、電源制御回路１０からそれぞれ出力される。
【００７５】
受信回路ブロック２０に電源が供給されると、アンテナＡＮＴから受信した電波は、アンテナスイッチ１９を経て受信回路ブロック２０に入力され、受信回路ブロック２０で局部発振信号を用いて中間周波信号に変換される。そして、中間周波信号は、リミッタアンプ５の出力として得られ、同時に受信電界強度信号回路１５から受信信号の振幅に応じた受信電界強度信号が出力される。この受信電界強度信号は、電源制御回路１０に入力される。
【００７６】
電源制御回路１０では、受信電界強度信号が予め設定した閾値より低い場合は、受信波が存在しないと判断し、電源制御回路１０は受信回路ブロック２０への電源供給を停止する（時刻ｔ12）。
【００７７】
一方、受信電界強度信号が予め設定した閾値より高い場合は、受信波が存在すると判断し、電源制御回路１０は復調回路ブロック２１に電源を供給する（時刻ｔ22，ｔ32）。
【００７８】
復調回路ブロック２１に電源が供給されると、リミッタアンプ５より出力された中間周波信号は、復調器６によりベースバンド信号に変換される。このとき、ノイズ検出回路１１により、ベースバンド信号から通信に係る信号以外の雑音を検出し、その振幅レベルを雑音検出信号（電圧値）としてノイズレベル判定回路１２に出力する。
【００７９】
ノイズレベル判定回路１２では、予め設定された閾値と雑音検出信号の振幅とを比較する。ノイズレベルが高いと判定した場合、受信した信号では通信が困難であることを意味するので、ノイズレベル判定回路１２はノイズレベルが高いことを示すノイズレベル判定信号を電源制御回路１０に出力する。その結果、電源制御回路１０は、受信回路ブロック２０と復調回路ブロック２１への電源供給を停止する。
【００８０】
一方、ノイズレベルが予め設定された閾値より低いと判定した場合、受信信号は通信に適していることを意味するので、ノイズレベル判定回路１２はそれに応じたノイズレベル判定信号、すなわちノイズレベルが低いことを示すノイズレベル判定信号を電源制御回路１０に出力する。その結果、電源制御回路１０は、識別信号判定回路ブロック２２に電源を供給する（時刻ｔ23，ｔ33）。
【００８１】
識別信号判定回路ブロック２２に電源が供給されると、識別信号処理回路１３は、復調器６から出力されたベースバンド信号から識別信号を取り出し、識別信号判定回路１４へ出力する。識別信号判定回路１４では、受信信号に含まれていた識別信号と、予め設定されていた所望の通信相手からの識別信号とを比較し、所望する通信先かを判定する。
【００８２】
識別信号が一致しない場合、識別判定回路１４は、識別信号が一致しないことを示す識別信号判定信号を電源制御回路１０へ出力する。その結果、電源制御回路１０は受信回路ブロック２０と復調回路ブロック２１と識別信号判定回路ブロック２２への電源供給を停止する（時刻ｔ24）。
【００８３】
一方、識別信号が一致した場合、識別信号判定回路１４は、識別信号が一致したことを示す識別信号判定信号を電源制御回路１０へ出力する。その結果、電源制御回路１０は音声回路ブロック２３に電源を供給する（時刻ｔ34）。
【００８４】
その結果、受信アンテナＡＮＴで受信した受信信号に対応した音声（可聴音）がスピーカ９から出力されることになる。
【００８５】
また、この無線通信装置では、送信起動信号が入力されると、送信回路１８が送信動作を開始するともに、アンテナスイッチ１９が反転し、送信波がアンテナＡＮＴより放射される。
【００８６】
また、間欠受信動作が終了すると、電源制御回路１０から間欠時間制御回路１６に対して受信終了信号が出力される。また、電源制御回路１０によって、受信回路ブロック２０、復調回路ブロック２１、および識別信号判定回路ブロック２２の電源がオフにされたときに各回路ブロックＯＦＦ信号（受信回路ブロックＯＦＦ信号、復調回路ブロックＯＦＦ信号、識別信号判定回路ブロックＯＦＦ信号）が間欠時間制御回路１６に対して出力される。その結果、間欠時間制御回路１６は、上記の２種類の信号を基に、タイマ回路１７のタイマ設定時間を変化させる。
【００８７】
この実施の形態によれば、以下のような効果が得られる。従来は通信装置間で同期の取れた通信において行っていた、間欠受信を同期の取れない通信方式において、受信信号の状態により個々の回路ブロックを電源制御し、それぞれの状況で必要な回路ブロックのみ動作させることを可能としている。そして、待機時にこの動作を繰り返す間欠受信を行うことにより低消費電流化を実現できる。
【００８８】
なお、上記実施の形態では、ノイズレベル検出信号と識別信号判定信号の両方を使用していたが、いずれか一方を使用しないものも実施の形態としてあげることができる。この場合、ノイズレベル検出信号を使用しない場合には、ノイズ検出回路１１およびノイズレベル判定回路１２を削除することができる。また、識別信号判定信号を使用しない場合には、識別信号処理回路１３および識別信号判定回路１４を削除することができる。前者は、通信環境が良好な場所で使用する場合に適しており、雑音判定手順を行わないことにより、時間の短縮が行え、待機時の不要な電流をさらに削減できるとともに、間欠受信時のオフ時間による通信の頭切れを少なくすることができる。後者は、通信相手を特定しないで通信を行う場合に適しており、不特定多数の通信相手と通話を行うなど識別信号が使用できない場合でも、待機時の不要な電流を削減できる。
【００８９】
（実施の形態２）
図２は本発明の実施の形態２の間欠受信制御方法を示すフローチャートである。より具体的にいえば、図１に示される間欠受信を行う無線通信装置における電源制御の方法を示したフローチャートである。
【００９０】
本制御方法について図２を用いて説明する。予め設定された受信タイミングに達したとき、タイマ回路１７による受信回路ブロック電源起動手順２５により受信回路ブロック２０に電源が供給される。これにより、受信された受信信号に基づき、受信電界強度信号回路１５から出力された受信電界強度信号が受信電界強度判定手順２６により、予め設定された閾値と比較される。受信電界強度信号が閾値より低いと判定された場合は、受信回路ブロック電源停止手順２７により受信回路ブロック２０への電源供給が停止される。
【００９１】
受信電界強度信号が閾値より高いと判定された場合は、復調回路ブロック電源起動手順２８により復調回路ブロック２１への電源供給が開始される。復調回路ブロック２１に電源が供給されると、受信信号はベースバンド信号に変換され、通信に係る信号以外のノイズが抽出される。そして、そのノイズレベルがノイズレベル判定手順２９により予め設定された閾値と比較される。ノイズレベルが閾値より高い場合は通信に適さない状況と判断され、受信回路ブロック・復調回路ブロック電源停止手順３０により受信回路ブロック２０および復調回路ブロック２１への電源の供給が停止される。なお、復調回路ブロック２１への電源供給は、図２では、受信電界強度判定手順２６によって、受信電界強度信号が閾値より高いと判定された後に開始しているが、受信回路ブロック２０への電源供給と同時に開始してもよい。この場合、受信電界強度信号が閾値より高いと判定された後に、続けてノイズレベル判定手順２９が行われる。
【００９２】
ノイズレベルが閾値より低い場合は、通信に適した状態と判断され、識別信号判定回路ブロック起動手順３１にて識別信号判定回路ブロック２２への電源供給が開始される。識別信号判定回路ブロック２２への電源供給が開始されると、受信したベースバンド信号から、識別信号判定回路ブロック２２により識別信号が抽出される。この識別信号は、識別信号判定手順３２により所望の通信相手からの識別信号と一致するか判定される。識別信号が一致しない場合は、受信回路ブロック・復調回路ブロック・識別信号判定回路ブロック電源停止手順３３により、受信回路ブロック２０、復調回路ブロック２１および識別信号判定回路ブロック２２への電源供給が停止される。なお、識別信号判定回路ブロック２２への電源供給は、図２では、ノイズレベル判定手順２９によってノイズレベルが低いと判断された後に開始しているが、受信回路ブロック２０への電源供給と同時に開始してもよいし、復調回路ブロック２１への電源供給と同時に開始してもよい。この場合、ノイズレベルが低いと判断された後に、続けて識別信号判定手順３２が行われる。
【００９３】
識別信号が一致した場合は、受信動作開始手順３４により、音声回路ブロック２３への電源供給が開始され、受信動作が開始される。なお、音声回路ブロック２３への電源供給は、受信回路ブロック２０への電源供給と同時に開始してもよいし、復調回路ブロック２１への電源供給と同時に開始してもよいし、識別信号判定回路ブロック２２への電源供給と同時に開始してもよい。
【００９４】
以上のように、本実施の形態における制御方法によれば、従来は無線通信装置間で同期が取れている状態で間欠受信を行っているのに対し、同期が取れて無く待機時に間欠受信動作を任意の時間で行う際、受信電界強度、ノイズレベル、識別信号の順に判定し、判定結果により所望する受信信号でないと判断した時点で、各回路ブロックの電源供給を停止する。待機時の間欠受信動作において、この動作を繰り返すことにより不要な電流を削減できる。
【００９５】
（実施の形態３）
図３は本発明の実施の形態３の間欠受信制御方法を示すフローチャートである。より具体的にいえば、図１に示される間欠受信を行う無線通信装置における電源制御の方法を示したフローチャートである。本フローチャートは、実施の形態２の制御方法を示すフローチャート（図２）から識別信号判定手順３２と受信回路ブロック・復調回路ブロック・識別信号判定回路ブロック電源停止手順３３を削除したものである。
【００９６】
本制御方法について図３を用いて説明する。予め設定された受信タイミングに達したとき、タイマ回路１７による受信回路ブロック電源起動手順２５により受信回路ブロック２０に電源が供給される。これにより、受信された受信信号に基づき、受信電界強度信号回路１５から出力された受信電界強度信号が受信電界強度判定手順２６により、予め設定された閾値と比較される。受信電界強度信号が閾値より低いと判定された場合は、受信回路ブロック電源停止手順２７により受信回路ブロック２０への電源供給が停止される。
【００９７】
受信電界強度信号が閾値より高いと判定された場合は、復調回路ブロック電源起動手順２８により復調回路ブロック２１への電源供給が開始される。復調回路ブロック２１に電源が供給されると、受信信号はベースバンド信号に変換され、通信に係る信号以外のノイズが抽出される。そして、そのノイズレベルがノイズレベル判定手順２９により予め設定された閾値と比較される。ノイズレベルが高い場合は通信に適さない状況と判断され、受信回路ブロック・復調回路ブロック電源停止手順３０により受信回路ブロック２０および復調回路ブロック２１への電源の供給が停止される。なお、復調回路ブロック２１への電源供給は、図３では、受信電界強度判定手順２６にて、受信電界強度信号が閾値より高いと判定された後に開始しているが、受信回路ブロック２０への電源供給と同時に開始してもよい。この場合、受信電界強度信号が閾値より高いと判定された後に、続けてノイズレベル判定手順２９が行われる。
【００９８】
ノイズレベルが低い場合は、通信に適した状態と判断され、受信動作開始手順３４により、音声回路ブロック２３への電源供給が開始され、受信動作が開始される。なお、音声回路ブロック２３への電源供給は、受信回路ブロック２０への電源供給と同時に開始してもよいし、復調回路ブロック２１への電源供給と同時に開始してもよい。
【００９９】
以上のように、本実施の形態における制御方法によれば、従来は無線通信装置間で同期が取れている状態で間欠受信を行っているのに対し、同期が取れて無く待機時に間欠受信動作を任意の時間で行う際、受信電界強度、ノイズレベルの順に判定し、判定結果により所望する受信信号でないと判断した時点で、各回路ブロックの電源供給を停止する。待機時の間欠受信動作において、この動作を繰り返すことにより不要な電流を削減できる。特に、不特定多数の通信相手と通話を行うなど識別信号が使用できない場合でも、待機時の不要な電流を削減できる。
【０１００】
（実施の形態４）
図４は本発明の実施の形態４の間欠受信制御方法を示すフローチャートである。より具体的にいえば、図１に示される間欠受信を行う無線通信装置における電源制御の方法を示したフローチャートである。本フローチャートは、実施の形態２の制御方法を示すフローチャート（図２）から、ノイズレベル判定手順２９と受信ブロック・復調回路ブロック電源停止手順３０を削除したものである。
【０１０１】
本制御方法について図４を用いて説明する。予め設定された受信タイミングに達したとき、タイマ回路１７による受信回路ブロック電源起動手順２５により受信回路ブロック２０に電源が供給される。これにより、受信された受信信号に基づき、受信電界強度信号回路１５から出力された受信電界強度信号が受信電界強度判定手順２６により、予め設定された閾値と比較される。受信電界強度が閾値より低いと判定された場合は、受信回路ブロック電源停止手順２７により受信回路ブロック２０への電源供給が停止される。
【０１０２】
受信電界強度信号が閾値より高いと判定された場合は、復調回路ブロック電源起動手順２８により復調回路ブロック２１への電源供給が開始される。
【０１０３】
復調回路ブロック２１に電源が供給されると、受信信号はベースバンド信号に変換される。
【０１０４】
つぎに、識別信号判定回路ブロック起動手順３１にて識別信号判定回路ブロック２２への電源供給が開始される。それによって、受信したベースバンド信号から、識別信号判定回路ブロック２２により識別信号が抽出される。この識別信号は、識別信号判定手順３２により所望の通信相手からの識別信号と一致するか判定される。識別信号が一致しない場合は、受信回路ブロック・復調回路ブロック・識別信号判定回路ブロック電源停止手順３３により受信回路ブロック２０、復調回路ブロック２１および識別信号判定回路ブロック２２への電源供給が停止される。なお、復調回路ブロック２１および電源供給識別信号判定回路ブロック２２への電源供給は、図２では、受信電界強度判定手順２６によって受信電界強度信号が閾値より高いと判定された後に開始しているが、受信回路ブロック２０への電源供給と同時に開始してもよい。この場合、受信電界強度信号が閾値より高いと判定された後に、続けて識別信号判定手順３２が行われる。
【０１０５】
識別信号が一致した場合は、受信動作開始手順３４により、音声回路ブロック２３への電源供給が開始され、受信動作が開始される。なお、音声回路ブロック２３への電源供給は、受信回路ブロック２０への電源供給と同時に開始してもよいし、復調回路ブロック２１への電源供給と同時に開始してもよいし、識別信号判定回路ブロック２２への電源供給と同時に開始してもよい。
【０１０６】
以上のように、本実施の形態における制御方法によれば、従来は無線通信装置間で同期が取れている状態で間欠受信を行っているのに対し、同期が取れて無く待機時に間欠受信動作を任意の時間で行う際、受信電界強度、識別信号の順に判定し、判定結果により所望する受信信号でないと判断した時点で、各回路ブロックの電源供給を停止する。待機時の間欠受信動作において、この動作を繰り返すことにより不要な電流を削減できる。
【０１０７】
特に受信信号中の雑音が少ない環境において、雑音判定手順を行わないことにより、時間の短縮が行え、待機時の不要な電流をさらに削減できるとともに、間欠受信時のオフ時間による通信の頭切れを少なくすることができる。
【０１０８】
（実施の形態５）
図２は本発明の実施の形態５の間欠受信制御方法を示すフローチャートである。より具体的にいえば、図１に示される間欠受信を行う無線通信装置における電源制御の方法を示したフローチャートである。
【０１０９】
本制御方法について図２を用いて説明する。予め設定された受信タイミングに達したとき、タイマ回路１７による受信回路ブロック電源起動手順２５により受信回路ブロック２０に電源が供給される。これにより、受信された受信信号に基づき、受信電界強度信号回路１５から出力された受信電界強度信号が受信電界強度判定手順２６により、予め設定された閾値と比較される。受信電界強度信号が閾値より高いと判定された場合は、復調回路ブロック電源起動手順２８により復調回路ブロック２１への電源供給が開始される。
【０１１０】
復調回路ブロック２１に電源が供給されると、受信信号はベースバンド信号に変換され、通信に係る信号以外のノイズが抽出される。そして、このノイズレベルがノイズレベル判定手順２９により予め設定された閾値と比較される。ノイズレベルが閾値より低い場合は、通信に適していると判断され、識別信号判定ブロック起動手順３１により識別信号判定回路ブロック２２に電源供給が開始される。
【０１１１】
識別信号判定回路ブロック２２に電源の供給が開始されると、受信したベースバンド信号から、識別信号判定回路ブロック２２により識別信号が抽出される。この識別信号は、識別信号判定手順３２により所望の通信相手からの識別信号と一致するか判定される。識別信号が一致した場合は、受信動作開始手順３４により音声回路ブロック２３に電源供給が開始され、受信動作が開始される。
【０１１２】
受信電界強度判定手順２６により、受信電界強度信号が閾値より低いと判定された場合は、受信回路ブロック電源停止手順２７により受信回路ブロック２０への電源供給が停止される。なお、受信電界強度信号が閾値より低いと判定された場合において、受信回路ブロック２０への電源供給を停止しなくてもよい。
【０１１３】
ノイズレベルが閾値より高い場合は、ノイズレベル判定手順２９により、通信に適さない状況と判断され、受信回路ブロック・復調回路ブロック電源停止手順３０により受信回路ブロック２０および復調回路ブロック２１への電源の供給が停止される。なお、通信に適さない状況と判断された場合において、受信回路ブロック２０および復調回路ブロック２１への電源の供給は停止しなくてもよい。
【０１１４】
識別信号判定手順３２により、識別信号が一致しないと判定された場合は、受信回路ブロック・復調回路ブロック・識別信号判定回路ブロック電源停止手順３３により、受信回路ブロック２０、復調回路ブロック２１および識別信号判定回路ブロック２２への電源供給が停止される。なお、識別信号が一致しないと判定された場合において、受信回路ブロック２０、復調回路ブロック２１および識別信号判定回路ブロック２２への電源供給を停止しなくてもよい。
【０１１５】
以上のように、本実施の形態における制御方法によれば、従来は無線通信装置間で同期が取れている状態で間欠受信を行っているのに対し、同期が取れて無く待機時に間欠受信動作を任意の時間で行う際、受信電界強度、ノイズレベル、識別信号の順に判定し、判定結果により所望する受信信号であると判断した時点で、順に各回路ブロックの電源供給を開始する。待機時の間欠受信動作において、この動作を繰り返すことにより必要な回路ブロックの電源のみを立ち上げることで不要な電流を削減できる。
【０１１６】
（実施の形態６）
図３は本発明の実施の形態６の間欠受信制御方法を示すフローチャートである。より具体的にいえば、図１に示される間欠受信を行う無線通信装置における電源制御の方法を示したフローチャートである。本フローチャートは、実施の形態５の制御方法を示すフローチャート（図２）から、識別信号判定手順３２と受信回路ブロック・復調回路ブロック・識別信号判定回路ブロック電源停止手順３３を削除したものである。
【０１１７】
本制御方法について図３を用いて説明する。予め設定された受信タイミングに達したとき、タイマ回路１７による受信回路ブロック電源起動手順２５により受信回路ブロック２０に電源が供給される。これにより、受信された受信信号に基づき、受信電界強度信号回路１５から出力された受信電界強度信号が受信電界強度判定手順２６により、予め設定された閾値と比較される。受信電界強度信号が閾値より高いと判定された場合は、復調回路ブロック電源起動手順２８により復調回路ブロック２１への電源供給が開始される。
【０１１８】
復調回路ブロック２１に電源が供給されると、受信信号はベースバンド信号に変換され、通信に係る信号以外のノイズが抽出される。そして、このノイズレベルがノイズレベル判定手順２９により予め設定された閾値と比較される。ノイズレベルが閾値より低い場合は、通信に適していると判断され、受信動作開始手順３４により音声回路ブロック２３に電源供給が開始され、受信動作が開始される。
【０１１９】
受信電界強度判定手順２６により、受信電界強度信号が閾値より低いと判定された場合は、受信回路ブロック電源停止手順２７により受信回路ブロック２０への電源供給が停止される。なお、受信電界強度信号が閾値より低いと判定された場合において、受信回路ブロック２０への電源供給を停止しなくてもよい。
【０１２０】
ノイズレベルが閾値より高い場合は、ノイズレベル判定手順２９により、通信に適さない状況と判断され、受信回路ブロック・復調回路ブロック電源停止手順３０により受信回路ブロック２０および復調回路ブロック２１への電源の供給が停止される。なお、通信に適さない状況と判断された場合において、受信回路ブロック２０および復調回路ブロック２１への電源の供給は停止しなくてもよい。
【０１２１】
以上のように、本実施の形態における制御方法によれば、従来は無線通信装置間で同期が取れている状態で間欠受信を行っているのに対し、同期が取れて無く待機時に間欠受信動作を任意の時間で行う際、受信電界強度、ノイズレベルの順に判定し、判定結果により所望する受信信号であると判断した時点で、順に各回路ブロックの電源供給を開始する。待機時の間欠受信動作において、この動作を繰り返すことにより必要な回路ブロックの電源のみを立ち上げることで不要な電流を削減できる。特に、不特定多数の通信相手と通話を行うなど識別信号が使用できない場合でも、待機時の不要な電流を削減できる。
【０１２２】
（実施の形態７）
図４は本発明の実施の形態７の間欠受信制御方法を示すフローチャートである。より具体的にいえば、図１に示される間欠受信を行う無線通信装置における電源制御の方法を示したフローチャートである。本フローチャートは、実施の形態２の制御方法を示すフローチャート（図２）から、ノイズレベル判定手順２９と受信ブロック・復調回路ブロック電源停止手順３０を削除したものである。
【０１２３】
本制御方法について図４を用いて説明する。予め設定された受信タイミングに達したとき、タイマ回路１７による受信回路ブロック電源起動手順２５により受信回路ブロック２０に電源が供給される。これにより、受信された受信信号に基づき、受信電界強度信号回路１５から出力された受信電界強度信号が受信電界強度判定手順２６により、予め設定された閾値と比較される。受信電界強度信号が閾値より高いと判定された場合は、復調回路ブロック電源起動手順２８により復調回路ブロック２１に電源供給が開始される。
【０１２４】
復調回路ブロック２１および識別信号判定回路ブロック２２に電源が供給されると、受信信号はベースバンド信号に変換される。
【０１２５】
つぎに、識別信号判定ブロック起動手順３１により識別信号判定回路ブロック２２への電源供給が開始される。それによって、受信したベースバンドから、識別信号判定回路ブロック２２により識別信号が抽出され、識別信号判定手順３２により所望の通信相手からの識別信号と一致するか判定される。識別信号が一致した場合は受信動作開始手順３４により音声回路ブロック２３への電源供給が開始され、受信動作を開始される。
【０１２６】
受信電界強度判定手順２６により、受信電界強度信号が閾値より低いと判定された場合は、受信回路ブロック電源停止手順２７により受信回路ブロック２０への電源供給が停止される。なお、受信電界強度信号が閾値より低いと判定された場合において、受信回路ブロック２０への電源供給を停止しなくてもよい。
【０１２７】
識別信号判定手順３２により、識別信号が一致しないと判定された場合は、受信回路ブロック・復調回路ブロック・識別信号判定回路ブロック電源停止手順３３により、受信回路ブロック２０、復調回路ブロック２１および識別信号判定回路ブロック２２への電源供給が停止される。なお、識別信号が一致しないと判定された場合において、受信回路ブロック２０、復調回路ブロック２１および識別信号判定回路ブロック２２への電源供給を停止しなくてもよい。
【０１２８】
以上のように、本実施の形態における制御方法によれば、従来は無線通信装置間で同期が取れている状態で間欠受信を行っているのに対し、同期が取れて無く待機時に間欠受信動作を任意の時間で行う際、受信電界強度、識別信号の順に判定し、判定結果により所望する受信信号であると判断した時点で、順に各回路ブロックの電源供給を開始する。待機時の間欠受信動作において、この動作を繰り返すことにより必要な回路ブロックの電源のみを立ち上げることで不要な電流を削減できる。
【０１２９】
特に、受信信号中の雑音が少ない環境において、雑音判定手順を行わないことにより、時間の短縮が行え、待機時の不要な電流をさらに削減できるとともに、間欠受信時のオフ時間による通信の頭切れを少なくすることができる。
【０１３０】
（実施の形態８）
図５は本発明の実施の形態８の間欠受信制御方法を示すフローチャートである。より具体的にいえば、図１に示される間欠受信を行う無線通信装置における電源制御の方法を示したフローチャートである。本フローチャートは、実施の形態２および実施の形態５における制御方法を示すフローチャート（図２）に、受信終了手順３５と、間欠受信の時間を制御する手順である間欠受信タイマ時間設定手順３６と、もう一つの間欠受信タイマ時間設定手順３７と、間欠受信タイマスタート手順３８とを加えたものである。なお、特に説明はしないが、実施の形態３および実施の形態６における制御方法を示すフローチャート（図３）に、または実施の形態４および実施の形態７における制御方法を示すフローチャート（図４）に、上記の各手順３５，３６，３７，３８を追加したものも、実施の形態としてあげることができる。
【０１３１】
図５のフローチャートにおいて、タイマ回路１７による受信回路ブロック電源起動手順２５から各回路ブロックの電源停止手順２７、３０、３３と受信動作開始手順３４までの制御方法は実施の形態２および実施の形態５と同じであるため、説明を省略する。
【０１３２】
各判定手順２６，２９，３２により通信が成立しなかった場合、各回路ブロックの電源停止手順２７、３０、３３により、受信回路ブロック２０、復調回路ブロック２１、識別信号判定回路ブロック２２への電源供給が停止され、その後間欠受信タイマ時間設定手順３７により、既設定のタイマ設定時間が変更される。具体的には、前回設定されたタイマ時間ｔn-1に時間の増分Δｔを加え、次のタイマ時間ｔnをｔn=ｔn-1+Δｔとして、
タイマ回路１７に設定され、間欠受信タイマスタート手順３８によりタイマ時間ｔnとして時間計数が開始される。ただし、タイマ時間ｔnは予め設定された最大値ｔmaxを超えないように設定される。
【０１３３】
受信動作開始手順３４により受信が開始され、その後受信動作終了手順３５により受信が終了した場合、間欠受信タイマ設定手順３６によりタイマ時間ｔnは最小値ｔ0に設定され、間欠受信タイマスタート手順３８によりタイマ時間をｔnとして時間計数が開始される。
【０１３４】
図１において、送信起動信号により送信回路１８が送信を行った場合も通信が行われているとみなし、送信終了後に間欠受信タイマ設定手順３６によりタイマ時間ｔnは最小値ｔ0に設定され、間欠受信タイマスタート手順３８によりタイマ時間をｔnとして時間計数が開始される。
【０１３５】
図７はこの実施の形態において、タイマ時間(間欠受信のオフ時間)が変化していることをタイミングチャートを示す。図７では、受信信号がない状態では、タイマ時間がｔn→ｔn+1(＝ｔn＋Δｔ)→ｔn+2(＝ｔn+1＋Δｔ)→‥‥というように、時間Δｔずつ増加していき、送信信号または受信信号があると、その直後は、タイマ時間が最小値のｔ0となり、その後ｔ0→ｔ1(＝ｔ0＋Δｔ)→‥‥と増加していくことが示されている。
【０１３６】
以上のように、本実施の形態における制御方法によれば、図７に示したように、通信の頻度により間欠受信のオフ時間の間隔を可変することができ、相互に通信をしているようなときは間欠受信のオフ時間を短くすることで、通信の頭切れを少なくし、通信がないような状況では間欠受信のオフ時間を長くすることで低消費電流化を図ることができる。
【０１３７】
その他の効果は、実施の形態２と同様である。
【０１３８】
（実施の形態９）
本発明の実施の形態９の無線通信用半導体集積回路は、上記実施の形態１の無線通信装置を構成する受信回路ブロック２０、復調回路ブロック２１、識別信号判定回路ブロック２２、音声回路ブロック２３（スピーカ９を除く）、送信回路１８と、間欠時間制御回路１６と、タイマ回路１７と、電源制御回路１０のすべて、もしくは一部を、半導体基板上に集積したものである。具体的には、この無線通信用半導体集積回路は、図１において、アンテナＡＮＴと、スピーカ９と、帯域通過フィルタ７Ａ〜７Ｃと７Ｆを除く回路の全てまたは一部を半導体基板上に集積し、実施の形態１に示す間欠受信制御を可能としたものである。
【０１３９】
この実施の形態の無線通信用半導体集積回路は、実施の形態１と同様の効果を有する。
【０１４０】
（実施の形態１０）
本発明の実施の形態１０の無線通信用モジュールは、上記実施の形態１の無線通信装置を構成する受信回路ブロック２０、復調回路ブロック２１、識別信号判定回路ブロック２２、音声回路ブロック２３（スピーカ９を除く）、送信回路１８と、間欠時間制御回路１６と、タイマ回路１７と、電源制御回路１０のすべて、もしくは一部を、回路基板上に実装したものである。具体的には、この無線通信用モジュールは、図１において、アンテナＡＮＴと、スピーカ９と、帯域通過フィルタ７Ａ〜７Ｃと７Ｆを除く回路の全てまたは一部を回路基板（または半導体基板）上に集積し、実施の形態１に示す間欠受信制御を可能としたものである。
【０１４１】
この実施の形態の無線通信用半導体集積回路は、実施の形態１と同様の効果を有する。
【０１４２】
（実施の形態１１）
本発明の実施の形態１１の無線通信システムは、無線基地局による同期信号を使用せずに複数の無線通信装置の間または基地局との間で直接通信を行う無線通信システムにおいて、無線通信装置として、実施の形態１の無線通信装置を使用するものである。そして、実施の形態１において示した、無線通信装置の制御方法としては、実施の形態２から実施の形態８までに示された方法のいずれかが採用される。
【産業上の利用可能性】
【０１４３】
本発明にかかる無線通信装置は、周波数変調方式を用いた移動無線機などにおいて、受信待機状態における間欠受信時の通話の頭切れを少なくして消費電流の削減を実現するものとして有用である。
【図面の簡単な説明】
【０１４４】
【図１】本発明の実施の形態１に係る無線通信装置の構成を示すブロック図である。
【図２】本発明の実施の形態２，５における無線通信装置の制御方法を示すフローチャートである。
【図３】本発明の実施の形態３，６における無線通信装置の制御方法を示すフローチャートである。
【図４】本発明の実施の形態４，７における無線通信装置の制御方法を示すフローチャートである。
【図５】本発明の実施の形態８における無線通信装置の制御方法を示すフローチャートである。
【図６】本発明の実施の形態１における無線通信装置の動作を示すタイミングチャートである。
【図７】本発明の実施の形態８における無線通信装置の制御方法を示すタイミングチャートである。
【図８】従来の無線通信装置の構成を示すブロック図である。
【図９】従来の無線通信装置の動作を示すタイミングチャートである。
【図１０】従来の無線通信装置における復調回路の構成を示すブロック図である。
【符号の説明】
【０１４５】
１  高周波増幅器
２  ミキサ回路
３  増幅器
４  ミキサ回路
５  リミッタアンプ
６  復調器
７Ａ〜７Ｆ  帯域通過フィルタ
８  電力増幅器
９  スピーカ
１０  電源制御回路
１１  ノイズ検出回路
１２  ノイズレベル判定回路
１３  識別信号処理回路
１４  識別信号判定回路
１５  受信電界強度信号回路
１６  間欠時間制御回路
１７  タイマ回路
１８  送信回路
１９  アンテナ切り替えスイッチ
２０  受信回路ブロック
２１  復調回路ブロック
２２  識別信号判定回路ブロック
２３  音声回路ブロック
２４Ａ，２４Ｂ  局部発振器
２５  タイマによる受信回路ブロック電源起動手順
２６  受信電界強度判定手順
２７  受信回路ブロック電源停止手順
２８  復調回路ブロック電源起動手順
２９  ノイズレベル判定手順
３０  受信回路ブロック・復調回路ブロック電源停止手順
３１  識別信号判定回路ブロック起動手順
３２  識別信号判定手順
３３  受信回路ブロック・復調回路ブロック・識別信号判定回路ブロック電源停止手順
３４  受信動作開始手順
３５  受信動作終了手順
３６  間欠受信タイマ時間設定手順
３７  間欠受信タイマ時間設定手順
３８  間欠受信タイマスタート手順
４５  無信号時受信区間手順
４６  他の通信受信区間手順
４７  所望の通信受信区間手順
１０１  高周波増幅器
１０２Ｉ，１０２Ｑ  ミキサ回路
１０３Ｉ，１０３Ｑ  低域通過フィルタ
１０４Ｉ，１０４Ｑ  リミッタ回路
１０５  復調回路
１０６  低域通過フィルタ
１０７  コンパレータ回路
１０８  ９０度移相器
１０９  ＰＬＬ局部発振回路
１１０  周波数検出回路
１１１  電圧制御発振回路
１１２  ループフィルタ
１１３  制御回路
１１４  同期回路
１１５  間欠動作回路
【図１】
2005184606.tif 000003
【図２】
2005184606.tif 000004
【図３】
2005184606.tif 000005
【図４】
2005184606.tif 000006
【図５】
2005184606.tif 000007
【図６】
2005184606.tif 000008
【図７】
2005184606.tif 000009
【図８】
2005184606.tif 000010
【図９】
2005184606.tif 000011
【図１０】
2005184606.tif 000012